(57)【要約】      （修正有）【課題】両側から引っ張ると伸び、両側から押すと縮む性質を持つ、螺旋形状炭素繊維などの螺旋状繊維を用いて、撚ったり織ったりしないで作る糸を提供する。【解決手段】既存螺旋繊維を両側から可能な限り引き延ばして左側に設置した螺旋繊維の右側と、該既存螺旋繊維を両側から可能な限り引き延ばして右側に設置した螺旋繊維の左側を、重ね合わせて、重なった部分の両端部３、６を除いた部分に、巻き付け用螺旋繊維９を巻き付ける、という工程を繰り返していって、螺旋繊維束を糸状にしてから、該螺旋繊維束を重ねていない部分７に巻き付け用螺旋繊維９を巻き付けるという作業を、該螺旋繊維束が重なっていない部分７の中央部だけに施したことによって、引っ張っている力を外した時に、該巻き付け用螺旋繊維９を巻き付けていない部分が大きく縮んだ状態になる。【選択図】図７
0003235112.tif 000002
【実用新案登録請求の範囲】
【請求項１】
繊維の断面が円形または多角形あるいは円筒状で、繊維全体の形が螺旋状になっていて、その螺旋の内径が繊維断面の直径の３倍から５倍くらいになるように、プラスチックや炭素などから人工的に作られた、両側から引っ張ると伸び、両側から押すと縮む性質を持つ、既存の螺旋繊維のみから作り上げる糸であり、該螺旋繊維を両側から引っ張って延ばした状態にして、該螺旋繊維の螺旋の内径が、該螺旋繊維の繊維断面直径の約３倍の場合は、左側と右側に、それぞれ５本から７本の該引き延ばした螺旋繊維を配置し、該螺旋内径が該繊維断面直径の約５倍の場合は、左側と右側に、それぞれ１０本から１２本の該引き延ばした螺旋繊維を配置してから、該引き延ばした螺旋繊維を数本ずつ、左側の該引き延ばした螺旋繊維と右側の該引き延ばした螺旋繊維の一部を重ねて、重ねた部分の該螺旋繊維をまとめて、その上から別の該螺旋繊維を巻き付けて、その一連の操作を繰り返すことにより、繊維束を糸状にしていき、最後に、糸状にした該繊維束を両側から引き延ばして、芯になる該螺旋繊維同士を重ねていない部分にも巻き付け用の該螺旋繊維を巻き付ける、という工程で作り上げることによって、芯になる該螺旋繊維を重ねた部分に巻き付けた該巻き付け用螺旋繊維が、その螺旋の内側に収めた該引き延ばした螺旋繊維の束を締め付ける状態を作り、また、重ねた部分の芯になる螺旋繊維の端部が該巻き付け用螺旋繊維の外側に飛び出ている状態を作り、それらの効果により、該巻き付け用螺旋繊維の内側に収めた芯になる該螺旋繊維が外れにくくなる構造にし、かつ、芯になる該螺旋繊維を重ねていない部分に巻き付ける該巻き付け用螺旋繊維の数を変えることにより糸の伸縮性を調整できる構造にした、既存の螺旋繊維を束ねることによって作る糸。
【考案の詳細な説明】
【技術分野】
【０００１】
本考案は、繊維の断面が円形または多角形あるいは円筒状であり、繊維全体の形が螺旋状になっていて、両側から引っ張ると伸び、両側から押すと縮む性質を持つ、プラスチックを人工的に螺旋形状にした既存の螺旋繊維や、カーボン・マイクロ・コイルと称される炭素を人工的に螺旋形状にした既存の螺旋形状炭素繊維などの、既存の螺旋状繊維を用いて、撚ったり織ったりしないで作る糸に関するものである。
【背景技術】
【０００２】
従来、螺旋形状繊維を撚ったり織ったりしないで作る糸は、考案されていなかった。
【考案の概要】
【考案が解決しようとする課題】
【０００３】
綿や化学繊維を撚ることによって作った従来の細い糸は柔らかすぎて、太い紐にすると固くなりすぎて、また、従来の純粋な炭素繊維で作った糸は硬くて伸縮性が悪いので、どちらも布を作る材料にはなったが、立体構造体を作る素材にならなかった。
【課題を解決するための手段】
【０００４】
繊維の断面が円形または多角形あるいは円筒状で、繊維全体の形が螺旋状になっていて、両側から引っ張ると伸び、両側から押すと縮む性質を持つ、プラスチックや炭素などを人工的に螺旋形状にした既存の螺旋繊維を、両側から引っ張った状態で数本束ねて、左側の束と右側の束の一部を重ねて、その重なり部分に同じ材質の該螺旋繊維を巻き付けて、つなげていき、左右２つの束が重なっていない部分にも該螺旋繊維を巻き付けて作り上げる糸を、考案した。
【考案の効果】
【０００５】
本考案の糸は、左右それぞれの螺旋繊維が重なっていない部分の長さと、巻き付ける該螺旋繊維の数を変えることによって糸の伸縮性を調整できるので、本考案の糸を用いて構造部材を作るための部品を作ると、構造体に適した硬さの部材を作り出すことが出来るので、従来と違う材質の構造体を作ることが出来る。
【図面の簡単な説明】
【０００６】
【図１】図１は、断面が円形または多角形あるいは円筒状で、図２に示すように両側から引っ張ると伸び、図３に示すように両側から押すと縮む性質を持つ、プラスチックや炭素などを人工的に螺旋形状にした既存の螺旋繊維１の、力を加えていない時の状態を表す、斜視図である。
【図２】図２は、断面が円形または多角形あるいは円筒状の既存螺旋繊維１を、両側から引っ張った時の伸びた状態を表す、部分斜視図である。
【図３】図３は、断面が円形または多角形あるいは円筒状の既存螺旋繊維１を、両側から押し付けた時の密着した状態を表す、斜視図である。
【図４】図４は、既存螺旋繊維１を両側から可能な限り引き延ばして左側に設置した螺旋繊維２の右側と、該既存螺旋繊維１を両側から可能な限り引き延ばして右側に設置した螺旋繊維５の左側を、重ね合わせて、重なった部分８の両端部３と６を除いた部分に、巻き付け用螺旋繊維９を巻き付けた状態を表す、部分斜視図である。
【図５】図５は、図４に示すように、左側に配置した螺旋繊維２の右側部分と、右側に配置した螺旋繊維５の左側を、３本の該螺旋繊維５の上に３本の該螺旋繊維２を配置して、その上に３本の該螺旋繊維５を配置して、さらにその上に３本の該螺旋繊維２を配置して、該螺旋繊維２と該螺旋繊維５を交互に重ねた状態を表す、断面図である。
【図６】図６は、図４の状態で、左側螺旋繊維２の右端部３を引っ張っていた力と、右側螺旋繊維５の左端部６を引っ張っていた力を外した時に、該右端部３と該左端部６が元の螺旋形に戻って、巻き付け用螺旋繊維９から外れにくくなった状態を表す、斜視図である。
【図７】図７は、図６の状態まで作り上げた螺旋繊維束から、引っ張っていたすべての力を外した時に、巻き付け用螺旋繊維９の内側が縮むことによって該巻き付け用螺旋繊維９の輪が密着し、密着した後はそれ以上縮まなくなって、左側と右側の螺旋繊維が重なっていない部分の螺旋繊維束４と７が大きく縮んだ状態を表す、斜視図である。
【図８】図８は、図４に示す、既存螺旋繊維１を両側から可能な限り引き延ばして左側に設置した螺旋繊維２の右側と、該既存螺旋繊維１を両側から可能な限り引き延ばして右側に設置した螺旋繊維５の左側を、重ね合わせて、重なった部分８の両端部３と６を除いた部分に、巻き付け用螺旋繊維９を巻き付ける、という工程を繰り返していって、螺旋繊維束を糸状にしてから、引っ張っていた力を外した時に、該巻き付け用螺旋繊維９の輪が密着し、密着した後はそれ以上縮まなくなって、左側と右側の螺旋繊維が重なっていない部分の螺旋繊維束４と７が大きく縮んだ状態を表す、斜視図である。
【図９】図９は、図６の状態まで作り上げた後、さらに右側に別の螺旋繊維束を配置し、その左側を、左側の螺旋繊維束７の右側と重ね合わせて、重ねた部分に巻き付け用螺旋繊維９を巻き付けた状態を表す、部分斜視図である。
【図１０】図１０は、図９まで作り上げた後、螺旋繊維束を重ねていない部分７に巻き付け用螺旋繊維９を巻き付けた状態を表す、部分斜視図である。
【図１１】図１１は、図４に示す、既存螺旋繊維１を両側から可能な限り引き延ばして左側に設置した螺旋繊維２の右側と、該既存螺旋繊維１を両側から可能な限り引き延ばして右側に設置した螺旋繊維５の左側を、重ね合わせて、重なった部分８の両端部３と６を除いた部分に、巻き付け用螺旋繊維９を巻き付ける、という工程を繰り返していって、螺旋繊維束を糸状にしてから、該螺旋繊維束を重ねていない部分７に巻き付け用螺旋繊維９を巻き付けるという作業を、該螺旋繊維束が重なっていない部分７の中央部だけに施したことによって、引っ張っている力を外した時に、該巻き付け用螺旋繊維９を巻き付けていない部分１０が大きく縮んだ状態を表す、斜視図である。
【図１２】図１２は、図４に示す、既存螺旋繊維１を両側から可能な限り引き延ばして左側に設置した螺旋繊維２の右側と、該既存螺旋繊維１を両側から可能な限り引き延ばして右側に設置した螺旋繊維５の左側を、重ね合わせて、重なった部分８の両端部３と６を除いた部分に、巻き付け用螺旋繊維９を巻き付ける、という工程を繰り返していって、螺旋繊維束を糸状にしてから、該螺旋繊維束を重ねていない部分７に巻き付け用螺旋繊維９を巻き付けるという作業を、該螺旋繊維束が重なっていない部分７の全域に施したことによって、引っ張っている力を外した時に、該螺旋繊維束を重ねていない部分７の全域にわたって巻き付けている９の輪が密着し、密着した後はそれ以上縮まなくなっている状態を表す、斜視図である。
【考案を実施するための形態】
【０００７】
繊維の断面が円形または多角形あるいは円筒状であり、繊維全体の形が螺旋状になっていて、両側から引っ張ると伸び、両側から押すと縮む性質を持つ、プラスチックや炭素などを人工的に螺旋形状にした既存の螺旋繊維を、両側から引っ張って延ばした状態にして、左側と右側のそれぞれの該螺旋繊維の一部が重なるように、該螺旋繊維を複数本ずつ左側と右側に配置し、重ねた部分の該螺旋繊維をまとめて束にして、その上から別の該螺旋繊維を巻き付けて、上記の操作を繰り返すことによって、繊維束を糸状にしていき、最後に、糸状にした繊維束を両側から引き延ばして、芯にした該螺旋繊維同士が重なっていない部分にも巻き付け用螺旋繊維を巻き付ける、という操作によって、重ねた部分に巻き付けた該巻き付け用螺旋繊維が、その螺旋の内側に収めた引き延ばした該螺旋繊維の束を締め付ける状態を作り、また、重ねた部分の螺旋繊維端部が該巻き付け用螺旋繊維の外側に飛び出ている状態を作り、それらの効果により、該巻き付け用螺旋繊維の内側に収めた該螺旋繊維が外れにくい状態にして、さらに、該螺旋繊維が重なっていない部分に巻き付ける該巻き付け用螺旋繊維の数を変えることによって糸の伸縮性を調整して、既存の螺旋繊維から成る糸を、作り上げる。
【実施例】
【０００８】
繊維の断面が円形または多角形あるいは円筒状であり、繊維全体の形が螺旋状になっていて、図２に示すように両側から引っ張ると伸び、図３に示すように両側から押すと縮む性質を持つ、プラスチックや炭素などを人工的に螺旋形状にした図１に示す形状の既存の螺旋繊維１を、図４に示すように両側から引っ張って延ばし、図５に示すように、左側に配置する６本の螺旋繊維２のうちの上3本と下３本の間に、右側に配置する６本の螺旋繊維５のうちの上３本を挟んで並べてから、図４に示すように、左側と右側のそれぞれの該炭素繊維２と５の一部が重なるように配置し、重ねた部分８の該螺旋繊維１をまとめて束にして、螺旋繊維端部３と６を除いた部分８の上から別の該螺旋繊維１を巻き付けるが、引っ張っている力を外すと、伸びていた該螺旋繊維１が元の螺旋形状に戻ろうとして、左側の螺旋繊維束４と右側の螺旋繊維束７が該巻き付け用螺旋繊維９の内側で膨らむため、該巻き付け用螺旋繊維９は内側から押されて内径を大きくし、該螺旋繊維１が膨らむ力と該巻き付け用螺旋繊維９の伸縮性のバランスが取れたところで膨らむことを止めるので、図４と図６では、該螺旋繊維１の螺旋内側の内径が該螺旋繊維１の断面直径の３倍くらいになっている場合を対象にして、左側と右側にそれぞれ６本ずつ該螺旋繊維１を配置したが、該螺旋繊維１の螺旋内側の内径が該螺旋繊維１の断面直径の３倍くらいになっている場合は、巻き付け用螺旋繊維９の螺旋内側に、引き延ばした該螺旋繊維１が７本、そして、該螺旋繊維１の螺旋内側の内径が該螺旋繊維１の断面直径の５倍くらいになっている場合は、引き延ばした該螺旋繊維１が１９本収まるので、該螺旋内径が該繊維断面直径の約３倍の場合は、左側と右側に、それぞれ５本から７本の引き延ばした該螺旋繊維を配置し、該螺旋内径が該繊維断面直径の約５倍の場合は、左側と右側に、それぞれ１０本から１２本の引き延ばした該螺旋繊維を配置して、芯にした該螺旋繊維を重ねた部分に巻き付けた該巻き付け用螺旋繊維が、その螺旋の内側に収めた引き延ばした該螺旋繊維の束を締め付ける状態を作り、また、重ねた部分の芯にした螺旋繊維の端部が該巻き付け用螺旋繊維の外側に飛び出ている状態を作り、それらの効果により、該巻き付け用螺旋繊維の内側に収めた芯にした該螺旋繊維が外れにくくするので、該螺旋内側内径と該螺旋繊維断面直径の関係と該螺旋繊維１の伸縮性を考慮して、該螺旋繊維束４と該螺旋繊維束７の螺旋繊維の本数を適切なものにするが、該螺旋繊維１を引っ張る方法と、該巻き付け用螺旋繊維９を巻き付ける方法と、左右の螺旋繊維２と５を重ねて並べる方法は、色々考えられるので指定しない。
【０００９】
次に図６に示すように、左側の螺旋繊維２の右端部３を引っ張っていた力と、右側の螺旋繊維５の左端部６を引っ張っていた力を外して、螺旋繊維１が重なっている部分８のそれぞれの該螺旋繊維端部３と６を元の螺旋形状に戻らせるが、巻き付け用螺旋繊維９の内側に１２本の螺旋繊維１が収まっていて、該巻き付け用螺旋繊維９の内側が該螺旋繊維１で満たされているため、１２本の該螺旋繊維１が該巻き付け用螺旋繊維９に締め付けられ、螺旋繊維同士の間に摩擦力が生じて、元の螺旋形状に戻った状態の該螺旋繊維端部３と６は極めて外れにくくなり、また、この状態において左側の螺旋繊維２の左端部を引っ張っていた力と、右側の螺旋繊維５の右端部を引っ張っていた力を外すと、図７に示すように、該巻き付け用螺旋繊維９は、螺旋繊維束４と７を構成するそれぞれの該螺旋繊維１が元の状態に戻ろうとして収縮することによって、両側から押し縮められて密着した状態になり、螺旋繊維１が重なっていない部分は、該螺旋繊維束４と７を構成するそれぞれの該螺旋繊維１が元の形状に戻ろうとして収縮することによって、縮んで密な状態になる。
【００１０】
螺旋繊維１を左側と右側に、それぞれの一部が重なるように複数本ずつ配置し、重ねた部分の該螺旋繊維１をまとめて、その上から別の巻き付け用該螺旋繊維９を巻き付けて、以上の操作を繰り返すことによって、螺旋繊維束を糸状にするが、その段階で、引っ張っていたすべての力を外すと図８に示すように、該巻き付け用螺旋繊維９が密着状態になり、該螺旋繊維１が重なっていない部分１０が縮んで密な状態になり、該巻き付け用螺旋繊維９の内側にある１２本の該螺旋繊維１は、元の形状に戻ろうとする力によって、該巻き付け用螺旋繊維９が密着するまで縮み、それ以降は縮まなくなり、該糸状の繊維束は、螺旋繊維１の柔軟性により束の長軸と直角な方向にも大きく曲げることが出来る状態になる。
【００１１】
次に図８に示す糸状にした螺旋繊維束の両端を両側から引き伸ばして、図９に示す、左右の螺旋繊維１が重なっていない部分７の上から巻き付け用螺旋繊維９を巻き付けて、図１０に示すように、伸び縮み度合いを調整することが出来る糸を完成させるが、出来上がった糸の伸び縮み度合いを大きくするときは該螺旋繊維１が重なっていない部分７の長さを長くし、伸び縮み度合いを小さくするときは、該螺旋繊維１が重なっていない部分７の長さを短くする。
【００１２】
伸び縮み度合いを大きくするときは、もう一つの方法として、螺旋繊維１が重なっていない部分を引き延ばした状態にして、図１１に示すように、巻き付け用螺旋繊維９を少なく巻き付け、伸び縮み度合いを小さくするときは、図１２に示すように、該巻き付け用螺旋繊維９を多く巻き付けるが、求められる糸の強度や伸縮性に合わせて、束にする該螺旋繊維１の本数を調節し、束の重ならない部分の長さと、該巻き付け用螺旋繊維９の巻き付け本数とを調節して、最適な伸び縮み度合いの糸を作り上げる。
【産業上の利用可能性】
【００１３】
本考案の糸を用いると、布を作ることだけでなく、立体構造体を組み立てる構造部材を作るための部品を作ることも出来て、必要とする硬さの構造部材を作り出せるので、従来と違う材質の新しい構造体を作る産業が生まれる。
【符号の説明】
【００１４】
１  断面が円形または多角形あるいは円筒状で、図２に示すように両側から引っ張ると伸び、図３に示すように両側から押すと縮む性質を持つ、プラスチックや炭素などを人工的に図１に示す螺旋形状にした既存の螺旋繊維１
２  図４に示すように、両側から引っ張って可能な限り引き延ばして、左側に配置した、既存の螺旋繊維１
３  図４に示すように、両側から引っ張って可能な限り引き延ばして、左側に配置した、既存の螺旋繊維２の右端部
４  図４と図６に示すように、両側から引っ張って可能な限り引き延ばして、左側に配置した、既存の螺旋繊維２を、６本まとめた束
５  図４に示すように、両側から引っ張って可能な限り引き延ばして、右側に配置した、既存の螺旋繊維１
６  図４に示すように、両側から引っ張って可能な限り引き延ばして、右側に配置した、既存の螺旋繊維５の左端部
７  図４と図６に示すように、両側から引っ張って可能な限り引き延ばして、右側に配置した、既存の螺旋繊維５を、６本まとめた束
８  図４に示すように、左側の螺旋繊維２と右側の螺旋繊維５を重ねる部分
９  図４に示すように、左側の螺旋繊維２と右側の螺旋繊維５を重ねることによって、左側の螺旋繊維束４と右側の螺旋繊維束７が重なった部分８に巻き付け、そして、図１０と図１１と図１２に示すように、螺旋繊維束が重なっていない部分１０にも巻き付ける、巻き付け用既存螺旋繊維
１０  螺旋繊維束を重ねて、その重ねた部分８に巻き付け用螺旋繊維９を巻き付けて、長くした螺旋繊維糸のうちの、該螺旋繊維束を重ねていなくて、該巻き付け用螺旋繊維９を巻き付けていない部分で、図８と図１１に示すように、引っ張っている力をすべて外すと、大きく縮む部分
１１  螺旋繊維束を重ねて、その重ねた部分８に巻き付け用螺旋繊維９を巻き付けて、長くした螺旋繊維糸の、螺旋繊維を重ねた部分８のうちの、該巻き付け用螺旋繊維９を巻き付けていない螺旋繊維端部で、図８と図１１に示すように、引っ張っている力をすべて外すと、元の螺旋形に戻って、該巻き付け用螺旋繊維９から外れにくくなる部分
１２  螺旋繊維束を重ねて、その重ねた部分８に巻き付け用螺旋繊維９を巻き付けて、長くした螺旋繊維糸の、螺旋繊維を重ねた部分８のうちの、引っ張った状態で該巻き付け用螺旋繊維９を巻き付けた部分で、図８と図１１に示すように、引っ張っている力をすべて外すと、該巻き付け用螺旋繊維９の内側にある螺旋繊維１が縮むことにより、該巻き付け用螺旋繊維９の輪が密着し、密着した後にそれ以上縮まない部分
１３  螺旋繊維束を重ねて、その重ねた部分８に巻き付け用螺旋繊維９を巻き付けて、長くした螺旋繊維糸のうちの、繊維束を重ねていない部分１０において、引っ張った状態で該巻き付け用螺旋繊維９を巻き付けた部分で、図１１と図１２に示すように、引っ張っている力をすべて外すと、該巻き付け用螺旋繊維９の内側にある螺旋繊維１が縮むことにより、該巻き付け用螺旋繊維９の輪が密着し、密着した後にそれ以上縮まない部分
【図１】
0003235112.tif 000003
【図２】
0003235112.tif 000004
【図３】
0003235112.tif 000005
【図４】
0003235112.tif 000006
【図５】
0003235112.tif 000007
【図６】
0003235112.tif 000008
【図７】
0003235112.tif 000009
【図８】
0003235112.tif 000010
【図９】
0003235112.tif 000011
【図１０】
0003235112.tif 000012
【図１１】
0003235112.tif 000013
【図１２】
0003235112.tif 000014